(57)【要約】【課題】動画偽輪郭を低減し、サブフィールドの長さを短縮させるプラズマ表示装置の駆動方法を提供する。【解決手段】表示動作を行う複数の行電極を第１（Ｇ１）および第２行グループ（Ｇ２）に分け、第１および第２行グループの行電極をそれぞれ複数の副グループ（Ｇ１１、Ｇ１２、Ｇ２７、Ｇ２８、）に分けて駆動する。行電極の駆動は、一つのフィールドの複数のサブフィールドのうちの第１サブフィールドで、第１期間の間第１行グループの複数の副グループのうちの一つの副グループの発光セルのうち非発光セルを選択しながら、第２行グループの複数の副グループのうちの少なくとも一つの第１副グループの発光セルを維持放電させることにより行う。【選択図】図６Ａ
2007133397.tif 000002
【特許請求の範囲】
【請求項１】
複数の行電極と、複数の列電極と、前記複数の行電極および前記複数の列電極によってそれぞれ定義される複数の放電セルとを含むプラズマ表示装置を、前記複数の行電極を第１および第２行グループに分け、前記第１行グループの行電極を複数の副グループに分け、前記第２行グループの行電極を複数の副グループに分け、一つのフィールドを複数のサブフィールドに分け、前記複数のサブフィールドを第１サブフィールドグループと第２サブフィールドグループの二つのグループに分けて駆動する方法であって、
前記複数のサブフィールドのうち前記第１サブフィールドグループの第１サブフィールドで、第１期間の間前記第１行グループの前記複数の副グループのうちの一つの副グループの発光セルのうち非発光セルを選択して消去放電しながら、前記第２行グループの前記複数の副グループのうちの少なくとも一つの第１副グループの発光セルを維持放電させて前記第２行グループの前記複数の副グループのうちの少なくとも一つの第２副グループの発光セルは維持放電させない段階と、
前記第１サブフィールドで、第２期間の間前記第２行グループの前記複数の副グループのうちの一つの副グループの発光セルのうち非発光セルを選択して消去放電しながら、前記第１行グループの前記複数の副グループのうちの少なくとも一つの第３副グループの発光セルを維持放電させて前記第１行グループの前記複数の副グループのうちの少なくとも一つの第４副グループの発光セルは維持放電させない段階とを含む、プラズマ表示装置の駆動方法。
【請求項２】
前記複数のサブフィールドのうち前記第１サブフィールドグループの第２サブフィールドで、前記第１期間の間前記第２行グループの前記複数の副グループが維持放電されることを特徴とする、請求項１に記載のプラズマ表示装置の駆動方法。
【請求項３】
前記第２行グループの前記複数の副グループのうちの少なくとも一つの第１副グループの発光セルは前記第１期間のうち一部期間の間維持放電されることを特徴とする、請求項１に記載のプラズマ表示装置の駆動方法。
【請求項４】
前記第２行グループの前記複数の副グループのうちの少なくとも一つの第１副グループの発光セルが維持放電される期間は前記第１期間より短い、請求項１に記載のプラズマ表示装置の駆動方法。
【請求項５】
前記複数の行電極は、複数の第１電極および前記複数の第１電極と一緒に表示動作を行う複数の第２電極を含み、前記各行電極は前記第１電極および前記第２電極によって定義され、
前記第２行グループの前記複数の副グループのうちの少なくとも一つの第１副グループの発光セルを維持放電させる段階は、前記少なくとも一つの第１副グループの第１および第２電極にそれぞれハイレベル電圧とローレベル電圧を有する第１および第２維持放電パルスを反対位相で少なくとも１回印加する段階を含み、
前記第２行グループの前記複数の副グループのうちの少なくとも一つの第２副グループの発光セルは維持放電させない段階は、前記少なくとも一つの第２副グループの第１電極に前記第１維持放電パルスを印加し、前記第２電極をフローティングさせる段階を含む、請求項１乃至請求項４のうち何れか一項に記載のプラズマ表示装置の駆動方法。
【請求項６】
前記複数の行電極は、複数の第１電極および前記複数の第１電極と一緒に表示動作を行う複数の第２電極を含み、前記各行電極は前記第１電極および前記第２電極によって定義され、
前記第１期間で前記第１行グループの前記複数の副グループのうちの一つの副グループの発光セルのうち非発光セルを選択する段階は、前記第１行グループの前記複数の副グループのうち前記一つの副グループの前記複数の第２電極に順次に第１電圧を印加する段階と、前記第１電圧が印加されない前記第１行グループの前記複数の副グループのうちの残りの副グループの第２電極に前記第１電圧より高い第２電圧を印加する段階を含む、請求項１乃至請求項４のうち何れか一項に記載のプラズマ表示装置の駆動方法。
【請求項７】
前記第２行グループの前記複数の副グループのうちの少なくとも一つの第１副グループの発光セルを維持放電させる段階は、前記少なくとも一つの第１副グループの第１および第２電極にそれぞれハイレベル電圧とローレベル電圧を有する第１および第２維持放電パルスを反対位相で少なくとも１回印加する段階を含み、
前記第２行グループの前記複数の副グループのうちの少なくとも一つの第２副グループの発光セルを維持放電させない段階は、前記少なくとも一つの第２副グループの第１電極に前記第１維持放電パルスを印加する段階と、前記少なくとも一つの第２副グループの第１電極に前記第１維持放電パルスのハイレベル電圧が印加される間の、前記少なくとも一つの第２副グループの第２電極に前記第１電圧と前記第２電圧の差に相当する電圧を印加する段階と、前記少なくとも一つの第２副グループの第１電極に前記第１維持放電パルスのローレベル電圧が印加される間の、前記少なくとも一つの第２副グループの第２電極に前記ハイレベル電圧を印加する段階とを含む、請求項６に記載のプラズマ表示装置の駆動方法。
【請求項８】
前記複数の行電極は、複数の第１電極および前記複数の第１電極と一緒に表示動作を行う複数の第２電極を含み、前記各行電極は前記第１電極および前記第２電極によって定義され、
前記第２行グループの前記複数の副グループのうちの少なくとも一つの第１副グループの発光セルを維持放電させる段階は、前記少なくとも一つの第１副グループの第１および第２電極にそれぞれハイレベル電圧とローレベル電圧を有する第１および第２維持放電パルスを反対位相で少なくとも１回印加する段階を含み、
前記第２行グループの前記複数の副グループのうちの少なくとも一つの第２副グループの発光セルは維持放電させない段階は、前記少なくとも一つの第２副グループの第１電極に前記第１維持放電パルスを印加する段階と、前記少なくとも一つの第２副グループの第１電極に前記第１維持放電パルスのハイレベル電圧が印加される間の、前記少なくとも一つの第２副グループの第２電極に前記第２維持放電パルスのハイレベル電圧および前記ローレベル電圧のうちの何れか一つの電圧を印加する段階とを含む、請求項１乃至請求項４のうち何れか一項に記載のプラズマ表示装置の駆動方法。
【請求項９】
前記第１サブフィールドと連続し、当該画面処理期間で時間的に前にある第３サブフィールドにおいて、
前記複数の放電セルを非発光セルに設定する段階と、前記第１行グループの放電セルで発光セルを選択し前記第１行グループの発光セルを維持放電させる段階と、前記第２行グループの放電セルで発光セルを選択し前記第２行グループの発光セルを維持放電させる段階と、をさらに含む、請求項１乃至請求項４のうち何れか一項に記載のプラズマ表示装置の駆動方法。
【請求項１０】
前記第３サブフィールドで、
前記第２行グループの発光セルが維持放電される期間のうち一部期間の間前記第１行グループの発光セルは維持放電されず、前記第２行グループの発光セルが維持放電される期間のうち前記一部期間を除いた残り期間の間前記第１行グループの発光セルが維持放電されることを特徴とする、請求項９に記載のプラズマ表示装置の駆動方法。
【請求項１１】
前記第１サブフィールドグループの一部の第１サブフィールドは同一な加重値を有して、前記第１サブフィールドグループの前記残り一部の第１サブフィールドは前記一部の第１サブフィールドの加重値より小さい加重値をそれぞれ有する、請求項１乃至請求項４のうち何れか一項に記載のプラズマ表示装置の駆動方法。
【請求項１２】
表示動作を行う複数の行電極および前記行電極に交差する方向に形成される複数の列電極を含み、前記複数の行電極および複数の列電極によって複数の放電セルが形成されるプラズマ表示パネルを有するプラズマ表示装置であって、
一つのフィールドを複数のサブフィールドに分けて、前記複数の行電極を第１および第２行グループに分けて、前記第１行グループの行電極を複数の副グループに分けて、前記第２行グループの行電極を複数の副グループに分けて制御する制御部と、
前記制御部からの制御信号に基づいて前記複数の行電極および前記複数の列電極を駆動する駆動部とを含み、
前記駆動部は、
前記複数のサブフィールドのうち連続する複数のサブフィールドの少なくとも一つの第１サブフィールドで、前記第１行グループの前記各副グループに対する第１期間の間前記各副グループの発光セルのうち非発光セルを選択し、前記第２行グループの前記複数の副グループのうちの少なくとも一つの第１副グループの発光セルを維持放電させ、前記第２行グループの前記複数の副グループのうちの少なくとも一つの第２副グループの発光セルは維持放電させず、
前記第１サブフィールドで、前記第２行グループの前記各副グループに対する第２期間の間前記各副グループの発光セルのうち非発光セルを選択し、前記第１行グループの前記複数の副グループのうちの少なくとも一つの第３副グループの発光セルを維持放電させ、前記第１行グループの前記複数の副グループのうちの少なくとも一つの第４副グループの発光セルは維持放電させないことを特徴とする、プラズマ表示装置。
【請求項１３】
前記複数の行電極は、複数の第１電極および前記複数の第１電極と一緒に表示動作を行う複数の第２電極を含み、前記各行電極は前記第１電極および前記第２電極によって定義され、
前記駆動部は、
前記少なくとも一つの第１副グループの第１および第２電極にそれぞれハイレベル電圧とローレベル電圧を有する第１および第２維持放電パルスを反対位相で少なくとも１回印加して、前記第１副グループの発光セルを維持放電させ、
前記少なくとも一つの第２副グループの第１電極に前記第１維持放電パルスを印加し、前記第２電極をフローティングさせて前記第２副グループの発光セルを維持放電させないことを特徴とする、請求項１２に記載のプラズマ表示装置。
【請求項１４】
前記駆動部は、
前記第２行グループの複数の第２電極にそれぞれ第１端が連結されている第１および第２スイッチを含み、前記第１スイッチの第２端に印加する第２端電圧または前記第２スイッチの第２端に印加する電圧を対応する前記第２行グループの前記第２電極に印加する複数の選択回路を含み、前記第１および第２スイッチを遮断させて、前記第２電極をフローティングすることを特徴とする、請求項１３に記載のプラズマ表示装置。
【請求項１５】
前記複数の行電極は、複数の第１電極および前記複数の第１電極と一緒に表示動作を行う複数の第２電極を含み、前記各行電極は前記第１電極および前記第２電極によって定義され、
前記駆動部は、
前記第１期間で、前記第１行グループの前記複数の副グループのうち前記一つの副グループの前記複数の第２電極に順次に第１電圧を印加し、前記第１電圧が印加されない前記第１行グループの前記複数の副グループの残りの第２電極に前記第１電圧より高い第２電圧を印加することにより非発光セルを選択し、
前記少なくとも一つの第１副グループの第１および第２電極にそれぞれハイレベル電圧とローレベル電圧を有する第１および第２維持放電パルスを反対位相で少なくとも１回印加することにより前記第１副グループの発光セルを維持放電させ、
前記少なくとも一つの第２副グループの第１電極に前記第１維持放電パルスのハイレベル電圧を印加し、前記第２電極に前記第１電圧と前記第２電圧の差に相当する第３電圧を印加することにより前記第２副グループの発光セルを維持放電させないことを特徴とする、請求項１２に記載のプラズマ表示装置。
【請求項１６】
前記駆動部は、
前記第２行グループの複数の第２電極にそれぞれ連結されており、それぞれ第１端および第２端を有して前記第１端の電圧または前記第２端の電圧を対応する前記第２行グループの前記第２電極に印加する複数の選択回路と、
前記複数の選択回路の第２端と前記第１電圧を供給する第１電源の間に連結されている第１スイッチと、
前記第３電圧を充電しており、前記複数の選択回路の第２端と前記複数の選択回路の第１端の間に連結されているキャパシタと、
前記ハイレベル電圧を供給する第２電源と前記第２行グループの複数の第２電極の間に連結されている第２スイッチと、
前記ローレベル電圧を供給する第３電源と前記第２行グループの複数の第２電極の間に連結されている第３スイッチとを含み、
前記第１スイッチを導通させて、前記少なくとも一つの第２副グループの選択回路の第１端を通して、前記少なくとも一つの第２副グループの第２電極に前記第３電圧を印加することを特徴とする、請求項１５に記載のプラズマ表示装置。
【請求項１７】
前記複数の第１サブフィールドと連続し、当該画面処理期間のうちで時間的に前にある第３サブフィールドにおいて、
前記駆動部は、
前記第１行グループの放電セルのうち発光セルを選択し、前記第１行グループの発光セルを維持放電させて、前記第２行グループの放電セルのうち発光セルを選択し、前記第２行グループの発光セルを維持放電させることを特徴とする、請求項１２乃至請求項１６のうち何れか一項に記載のプラズマ表示装置。
【請求項１８】
前記駆動部は、
前記第３サブフィールドで前記発光セルを選択する前に、前記複数の放電セルを非発光セルに設定することを特徴とする、請求項１７に記載のプラズマ表示装置。
【請求項１９】
前記制御部は、前記複数の行電極のうち前記プラズマ表示パネルの上部に形成された行電極を前記第１行グループに設定し、前記複数の行電極のうち前記プラズマ表示パネルの下部に形成された行電極を前記第２行グループに設定することを特徴とする、請求項１８に記載のプラズマ表示装置。
【請求項２０】
前記制御部は、前記複数の行電極のうち奇数番目行電極を前記第１行グループに設定し、前記複数の行電極のうち偶数番目行電極を前記第２行グループに設定することを特徴とする、請求項１８に記載のプラズマ表示装置。
【発明の詳細な説明】
【技術分野】
【０００１】
本発明は、プラズマ表示装置およびその駆動方法に関するものである。
【背景技術】
【０００２】
プラズマ表示装置は、気体放電によって、生成したプラズマを用いて、文字または映像を表示するプラズマ表示パネルを利用した表示装置である。このようなプラズマ表示パネルには、複数の放電セルがマトリックス形態に配列されている。
【０００３】
プラズマ表示装置では、一つのフィールド（１ＴＶフィールド）がそれぞれの加重値を有する複数のサブフィールドに分割されて駆動され、複数のサブフィールドのうち表示動作が起こるサブフィールドの加重値の組み合わせによって階調が表示される。各サブフィールドのアドレス期間で発光する放電セルと発光しない放電セルが選択されて、維持期間で選択された発光する放電セルが当該サブフィールドの加重値に相当する期間の間維持放電されて、画像が表示される。
【０００４】
このようなプラズマ表示装置は、階調表現のために互いに異なる加重値を有するサブフィールドを使う。そして複数のサブフィールドで放電セルが発光するサブフィールドの加重値の総和によって、当該放電セルの階調が表現される。
【０００５】
しかし、例えば、２の累乗形態に加重値を有するサブフィールドを使う場合に一つの放電セルが連続する二つのフレームでそれぞれ１２７階調と１２８階調を表現する場合は動画偽輪郭が発生する。
【０００６】
また、アドレス期間と維持期間を時間的に分離する場合、各サブフィールドには維持放電のための維持期間以外に全ての放電セルをアドレッシングするためのアドレス期間が別途に形成されるので、一つのサブフィールドの長さが長くなる。その結果、一つのフィールドで用いることができるサブフィールドの個数が制限される。
【発明の開示】
【発明が解決しようとする課題】
【０００７】
従って、本発明の目的は、動画偽輪郭を低減させ、サブフィールドの長さを縮めることができるプラズマ表示装置およびその駆動方法を提供することにある。
【課題を解決するための手段】
【０００８】
上記課題を解決するための本発明の一つの特徴は、複数の行電極と、複数の列電極と、前記複数の行電極および前記複数の列電極によってそれぞれ定義される複数の放電セルを含むプラズマ表示装置に関し、一つのフィールドを複数のサブフィールドに分け、前記複数のサブフィールドを第１サブフィールドグループと第２サブフィールドグループの二つのグループに分けて駆動する方法が提供される。
【０００９】
この駆動方法は、前記複数の行電極を第１および第２行グループに分けて、前記第１行グループの行電極を複数の副グループに分けて前記第２行グループの行電極を複数の副グループに分けて駆動するものであって、前記複数のサブフィールドのうち第１サブフィールドグループの第１サブフィールドで、第１期間の間前記第１行グループの前記複数の副グループのうちの一つの副グループの発光セルのうち非発光セルを選択して消去放電しながら、前記第２行グループの前記複数の副グループのうちの少なくとも一つの第１副グループの発光セルを維持放電させて前記第２行グループの前記複数の副グループのうちの少なくとも一つの第２副グループの発光セルは維持放電させない段階と、前記第１サブフィールドで、第２期間の間前記第２行グループの前記複数の副グループのうちの一つの副グループの発光セルのうち非発光セルを選択して消去放電しながら、前記第１行グループの前記複数の副グループのうちの少なくとも一つの第３副グループの発光セルを維持放電させて前記第１行グループの前記複数の副グループのうちの少なくとも一つの第４副グループの発光セルは維持放電させない段階とを含む。
【００１０】
本発明の他の特徴によれば、表示動作を行う複数の行電極および前記行電極に交差する方向に形成される複数の列電極を含み、前記複数の行電極および複数の列電極によって複数の放電セルが形成されるプラズマ表示パネルを有するプラズマ表示装置であって、一つのフィールドを複数のサブフィールドに分けて、前記複数の行電極を第１および第２行グループに分けて、前記第１行グループの行電極を複数の副グループに分けて、前記第２行グループの行電極を複数の副グループで分けて制御する制御部と、前記複数の行電極および前記複数の列電極を駆動する駆動部とを含むプラズマ表示装置が提供される。
【００１１】
前記駆動部は、前記複数のサブフィールドのうち連続する複数の第１サブフィールドの少なくとも一つの第１サブフィールドで、前記第１行グループの前記各副グループに対する第１期間の間前記各副グループの発光セルのうち非発光セルを選択し、前記第２行グループの前記複数の副グループのうちの少なくとも一つの第１副グループの発光セルを維持放電させ、前記第２行グループの前記複数の副グループのうちの少なくとも一つの第２副グループの発光セルは維持放電させず、前記第１サブフィールドで、前記第２行グループの前記各副グループに対する第２期間の間前記各副グループの発光セルのうち非発光セルを選択し、前記第１行グループの前記複数の副グループのうちの少なくとも一つの第３副グループの発光セルを維持放電させて、前記第１行グループの前記複数の副グループのうちの少なくとも一つの第４副グループの発光セルは維持放電させないことを特徴とする。
【発明の効果】
【００１２】
本発明によれば、複数の行電極を第１および第２行グループに分けて、各グループの行電極を再び複数の副グループに分ける。そして一つのフィールドの各サブフィールドで第１および第２行グループの各副グループに対するアドレス期間の動作が行われ、各副グループのアドレス期間の間で維持期間の動作が行われる。また第１行グループの各副グループに対する維持期間が遂行される間の第２行グループの各副グループに対するアドレス期間の動作が行われ、第２行グループの各副グループのアドレス期間の間第１行グループの各副グループに対する維持期間の動作が行われる。このように、アドレス期間と維持期間が分離せずに、アドレス期間の間維持期間を行うようにするため、一つのサブフィールドの長さを縮めることができる。また各副グループの維持期間の間にアドレス期間が形成されて維持期間で形成されたプライミング粒子をアドレス期間で十分に活用できるので、走査パルスの幅を短くして高速走査ができる。
【００１３】
そして、各サブフィールドのアドレス期間が選択的消去方式でのみなる場合、当該サブフィールドで消去放電が起こる前まで連続するサブフィールドによって、階調が表現されるので、動画偽輪郭が発生しない。またどんな階調を表現しても１回の消去放電だけ起こるので消費電力を減らすことができる。この時、各サブフィールドで時間的に一番前にあるサブフィールドのアドレス期間で選択的書き込み方式を使うようになれば、十分な壁電荷を形成できて、以後の選択的消去方式を使うサブフィールドで安定的に消去放電を起こすことができる。そして選択的書き込み方式を使うサブフィールドのリセット期間で漸進的に増加する電圧と漸進的に減少する電圧を利用するのでリセット期間において強い放電が起こらず、明暗比を高めることができる。
【発明を実施するための最良の形態】
【００１４】
以下、添付した図面を参照して、本発明の好ましい実施形態について当業者が容易に実施することができるように詳細に説明する。しかしながら、本発明は多様に異なる形態で実現できるので、ここで説明する実施形態に限定されるものではない。そして、図面で本発明を明確に説明するために説明と関係ない部分は省略し、明細書全体にわたって類似した部分については同一図面符号で示すものとする。また、どんな部分がどんな構成要素を「含む」とする時、これは特に反対になる記載がない限り他の構成要素を除くものではなく、他の構成要素をさらに含むことができることを意味する。
【００１５】
そして本発明における壁電荷とは、セルの壁（例えば、誘電体層）上で各電極に近く形成される電荷をいう。そして、壁電荷は実際に電極自体に接触することはないが、ここでは、電極に「形成されること」、「蓄積すること」または「積もること」のように表現する。また、壁電圧は壁電荷によりセルの壁に形成される電位差をいう。
【００１６】
本発明の実施形態によるプラズマ表示装置に対して図１を参照して詳細に説明する。
【００１７】
図１は、本発明の実施形態によるプラズマ表示装置を示す図面である。
【００１８】
図１に示すように、本発明の実施形態によるプラズマ表示装置はプラズマ表示パネル１００、制御部２００、アドレス電極駆動部３００、走査電極駆動部４００および維持電極駆動部５００を含む。
【００１９】
プラズマ表示パネル１００は、列方向に伸びている複数のアドレス電極（以下、“Ａ電極”という。）（Ａ１〜Ａｍ）、そして行方向に互いに対を構成しながら伸びている複数の維持電極（以下、“Ｘ電極”という。）（Ｘ１〜Ｘｎ）および走査電極（以下、“Ｙ電極”という。）（Ｙ１〜Ｙｎ）を含む。一般にＸ電極（Ｘ１〜Ｘｎ）は各Ｙ電極（Ｙ１〜Ｙｎ）に対応して形成されており、Ｘ電極とＹ電極が維持期間で画像を表示するための表示動作を行う。Ｙ電極（Ｙ１〜Ｙｎ）とＸ電極（Ｘ１〜Ｘｎ）はＡ電極（Ａ１〜Ａｍ）と直交するように配置される。この時、Ａ電極（Ａ１〜Ａｍ）とＸおよびＹ電極（Ｘ１〜Ｘｎ、Ｙ１〜Ｙｎ）の交差部にある放電空間がセル１２を形成する。このようなプラズマ表示パネル１００の構造は一例であり、以下で説明する駆動波形が適用できる他の構造のパネルも本発明に適用され得る。以下、行方向に互いに対を構成しながら伸びているＸ電極およびＹ電極を行電極といって、列方向に伸びているＡ電極を列電極という。
【００２０】
制御部２００は、外部から映像信号を受信してＡ電極駆動制御信号、Ｘ電極駆動制御信号およびＹ電極駆動制御信号を出力する。そして制御部２００は、１フレームを複数のサブフィールドに分割して駆動し、複数の行電極を第１および第２行グループに分けて、第１および第２行グループの行電極をそれぞれ複数の副グループに分けて駆動するように制御する。
【００２１】
アドレス電極駆動部３００は、制御部２００からＡ電極駆動制御信号を受信して表示しようとする放電セルを選択するための表示データ信号を各Ａ電極に印加する。
【００２２】
走査電極駆動部４００は、制御部２００からＹ電極駆動制御信号を受信してＹ電極に駆動電圧を印加する。
【００２３】
維持電極駆動部５００は、制御部２００からＸ電極駆動制御信号を受信してＸ電極に駆動電圧を印加する。
【００２４】
次に、図２を参照して本発明の実施形態によるプラズマ表示装置の駆動方法について詳細に説明する。
【００２５】
図２は、本発明の実施形態によるプラズマ表示装置の駆動方法に適用される各電極の分割構造を示した図面である。
【００２６】
図２に示すように、一つのフィールドは複数の行電極（Ｘ１〜Ｘｎ、Ｙ１〜Ｙｎ）は二つの行グループ（Ｇ１、Ｇ２）に分けられる。この時、プラズマ表示パネル１００の上部に位置する複数の行電極（Ｘ１〜Ｘｎ/２、Ｙ１〜Ｙｎ/２）を含む第１行グループ（Ｇ１）とプラズマ表示パネル１００の下部に位置する複数の行電極（Ｘ（ｎ/２）＋１〜Ｘｎ、Ｙ（ｎ/２）＋１〜Ｙｎ）を含む第２行グループ（Ｇ２）に分けることができ、複数の行電極（Ｘ１〜Ｘｎ、Ｙ１〜Ｙｎ）を、偶数番目行電極を含む第１行グループ（Ｇ１）と奇数番目行電極を含む第２行グループ（Ｇ２）に分けてもよい。そして第１および第２行グループ（Ｇ１、Ｇ２）それぞれで、複数のＹ電極が再び複数の副グループ（Ｇ１１〜Ｇ１８、Ｇ２１〜Ｇ２８）に分けられる。図２では、第１および第２行グループ（Ｇ１、Ｇ２）それぞれが８個の副グループ（Ｇ１１〜Ｇ１８、Ｇ２１〜Ｇ２８）に分けられることとした。
【００２７】
つまり、第１行グループ（Ｇ１）で１番目からｊ番目Ｙ電極（Ｙ１〜Ｙｊ）が第１副グループ（Ｇ１１）に設定されて、（ｊ＋１）番目から（２ｊ）番目Ｙ電極（Ｙｊ＋１〜Ｙ２ｊ）が第２副グループ（Ｇ１２）に設定される。同様に、（７ｊ＋１）番目から（ｎ/２）番目Ｙ電極（Ｙ７ｊ＋１〜Ｙｎ/２）が第８副グループ（Ｇ８）に設定される（ここで、ｊは１とｎ/１６の間の整数）。同様に、第２行グループ（Ｇ２）で（８ｊ＋１）番目から（９ｊ）番目Ｙ電極（Ｙ８ｊ＋１〜Ｙ９ｊ）が第１副グループ（Ｇ２１）に設定されて、（９ｊ＋１）番目から（１０ｊ）番目Ｙ電極（Ｙ９ｊ＋１〜Ｙ１０ｊ）が第２副グループ（Ｇ２２）に設定される。同様に、（１５ｊ＋１）番目からｎ番目Ｙ電極（Ｙ１５ｊ＋１〜Ｙｎ）が第８副グループ（Ｇ２８）に設定される。一方、これと異なり、第１および第２行グループ（Ｇ１、Ｇ２）内でそれぞれ一定した間隔に離れているＹ電極を一つの副グループに設定してもよく、必要に応じて不規則な方式でＹ電極をグループ化してもよい。
【００２８】
図３は、本発明の第１実施例によるプラズマ表示装置の駆動方法を示した図面である。
【００２９】
本発明の第１実施例では、アドレス期間と維持期間の長さが同一であり、維持期間もまた、全てのサブフィールドで同一な長さを有することとしている。
【００３０】
図３を参照すれば、一つのフィールドは複数のサブフィールド（ＳＦ１〜ＳＦＬ）からなる。この時、第１〜第Ｌサブフィールド（ＳＦ１〜ＳＦＬ）はそれぞれアドレス期間（ＥＡ１１１〜ＥＡＬ１８、ＥＡ１２１〜ＥＡＬ２８）および維持期間（Ｓ１１１〜ＳＬ１８、Ｓ１２１〜ＳＬ２８）からなり、第１〜第Ｌサブフィールド（ＳＦ１〜ＳＦＬ）のアドレス期間（ＥＡ１１〜ＥＡＬ８）は選択的消去方式からなる。そして図２で説明したように、複数の行電極（Ｘ１〜Ｘｎ、Ｙ１〜Ｙｎ）は二つの第１および第２行グループ（Ｇ１、Ｇ２）に分けられて、第１および第２行グループ（Ｇ１、Ｇ２）がそれぞれ複数の副グループ（Ｇ１１〜Ｇ１８、Ｇ２１〜Ｇ２８）に分けられる。
【００３１】
複数の放電セルのうちで発光する放電セル（以下、“発光セル”という。）と発光しない放電セル（以下、“非発光セル”という。）を選択するための方式は、選択的書き込み方式と選択的消去方式がある。選択的書き込み方式は、発光セルを選択して、一定した壁電圧を形成する方式であり、選択的消去方式は非発光セルを選択して、既に形成されている壁電圧を消去する方式である。つまり、選択的書き込み方式は非発光セル状態のセルをアドレス放電させて壁電荷を形成して、発光セル状態で設定する方式であり、選択的書き込み方式は発光セル状態のセルをアドレス放電させて、既に形成されている壁電荷を消去させて、非発光セル状態で設定する方式である。以下では、選択的書き込み方式で壁電荷を形成するためのアドレス放電を“書き込み放電”と言い、選択的消去方式で壁電荷を消去するためのアドレス放電を“消去放電”という。
【００３２】
再び図３を参照すれば、選択的消去方式のアドレス期間（ＥＡ１１１〜ＥＡＬ１８、ＥＡ１２１〜ＥＡＬ２８）を有する第１〜第Ｌサブフィールド（ＳＦ１〜ＳＦＬ）のうちで時間的に一番前にある第１サブフィールド（ＳＦ１）のアドレス期間（ＥＡ１１）直前には全ての放電セルを初期化して、発光セル状態で設定するリセット期間（Ｒ）を有する。このリセット期間（Ｒ）ではまず、全ての放電セルを初期化して、発光セル状態に設定する。つまり、アドレス期間（ＥＡｌ）で消去放電が可能な状態で設定する。
【００３３】
次に、第１サブフィールド（ＳＦ１）で第１および第２行グループ（Ｇ１、Ｇ２）それぞれの第１〜第８副グループ（Ｇ１１〜Ｇ１８、Ｇ２１〜Ｇ２８）のアドレス期間（ＥＡ１１１〜ＥＡＬ１８、ＥＡ１２１〜ＥＡＬ２８）および維持期間（Ｓ１１１〜ＳＬ１８、Ｓ１２１〜ＳＬ２８）が順次に行われる。この時、第１行グループ（Ｇ１）の各サブフィールド（ＳＦ１〜ＳＦＬ）では第１副グループ（Ｇ１１）から第８副グループ（Ｇ１８）順で順次にアドレス期間（ＥＡ１１１〜ＥＡＬ１８）および維持期間（Ｓ１１１〜ＳＬ１８）の動作が行われ、第２行グループ（Ｇ２）の各サブフィールド（ＳＦ１〜ＳＦＬ）では第８副グループ（Ｇ２８）から第１副グループ（Ｇ２１）順で順次にアドレス期間（ＥＡ１２８〜ＥＡＬ２１）および維持期間（Ｓ１２８〜ＳＬ２１）の動作が行われる。つまり、第１行グループ（Ｇ１）の第ｋサブフィールド（ＳＦｋ）では第ｉ副グループ（Ｇ１ｉ）のアドレス期間（ＥＡｋ１ｉ）の動作が行われた後、第ｉ副グループ（Ｇ１ｉ）の維持期間（Ｓｋ１ｉ）の動作が行われる（ここで、ｋは１とＬの間の整数であり、ｉは１と８の間の整数である）。続いて、第（ｉ＋１）副グループ（Ｇ１（ｉ＋１））のアドレス期間（ＥＡｋ１（ｉ＋１））と維持期間（Ｓｋ１（ｉ＋１））の動作が行われる。第２行グループ（Ｇ２）の第ｋサブフィールド（ＳＦｋ）では第（ｉ＋１）副グループ（Ｇ２（ｉ＋１））のアドレス期間（ＥＡｋ２（ｉ＋１））の動作が行われた後、第（ｉ＋１）副グループ（Ｇ２（ｉ＋１））の維持期間（Ｓｋ２（ｉ＋１））の動作が行われる。次に、第ｉ副グループ（Ｇ２ｉ）のアドレス期間（ＥＡｋ２ｉ）と維持期間（Ｓｋ２ｉ）の動作が行われる。そして第ｋサブフィールド（ＳＦｋ）で第１行グループ（Ｇ１）の第ｉ副グループ（Ｇ１ｉ）の維持期間（Ｓｋ１ｉ）が遂行される間に、第２行グループ（Ｇ２）の第（８−（ｉ−１））副グループ（Ｇ２（８−（ｉ−１）））のアドレス期間（ＥＡｋ２（８−（ｉ−１）））の動作が行われる。第ｋサブフィールド（ＳＦｋ）で第２行グループ（Ｇ２）の第（８−（ｉ−１））副グループ（Ｇ２（８-（ｉ-１）））の維持期間（Ｓｋ２（８−（ｉ−１）））が遂行される間の、第１行グループ（Ｇ１）では第（ｉ＋１）副グループ（Ｇ１（ｉ＋１））のアドレス期間（ＥＡｋ１（ｉ＋１））の動作が行われる。
【００３４】
図３では、第２行グループ（Ｇ２）では第８副グループ（Ｇ２８）から第１副グループ（Ｇ２１）順で順次にアドレス期間（ＥＡｋ２８〜ＥＡｋ２１）および維持期間（Ｓｋ２８〜Ｓｋ２１）の動作が行われる様を示したが、図３とは異なり、第２行グループ（Ｇ２）でも第１行グループ（Ｇ１）と同様に第１副グループ（Ｇ２１）から第８副グループ（Ｇ２８）順でアドレス期間（ＥＡｋ２１〜ＥＡｋ２８）および維持期間（Ｓｋ２１〜Ｓｋ２８）を遂行することもできる。また、第１および第２行グループ（Ｇ１、Ｇ２）で図３とは異なる順序にアドレス期間および維持期間の動作が行われてもよい。
【００３５】
次に、第１行グループ（Ｇ１）の各サブフィールド（ＳＦ１〜ＳＦＬ）に対して具体的に説明する。各サブフィールド（ＳＦ１〜ＳＦＬ）でのアドレス期間と維持期間の動作は実質的に同一なので、以下では、第ｋサブフィールド（ＳＦｋ）での動作についてのみ説明する（ここで、ｋは１とＬの間の整数）。
【００３６】
第１行グループ（Ｇ１）の第ｋサブフィールド（ＳＦｋ）のうち第１副グループ（Ｇ１１）のアドレス期間（ＥＡｋ１１）では第１副グループ（Ｇ１１）の発光セルのうち非発光セルに設定する放電セルを消去放電させて壁電荷を消去し、維持期間（Ｓｋ１１）で第１副グループ（Ｇ１１）の残り発光セルを維持放電させる。次に、第２副グループ（Ｇ１２）のアドレス期間（ＥＡｋ１２）で第２副グループ（Ｇ１２）の発光セルのうち非発光セルに設定する放電セルを消去放電させて壁電荷を消去し、維持期間（Ｓｋ１２）で第２副グループ（Ｇ１２）の残り発光セルを維持放電させる。この時、第１副グループ（Ｇ１１）の発光セルでも維持放電が起こる。
【００３７】
これと同様に残りの副グループ（Ｇ１３〜Ｇ１８）に対してもアドレス期間（ＥＡｋ１３〜ＥＡｋ１８）および維持期間（Ｓｋ１３〜Ｓｋ１８）の動作が行われる。この時、第ｉ副グループ（Ｇ１ｉ）の維持期間（Ｓｋ１ｉ）では第ｉ副グループ（Ｇ１ｉ）の発光セルおよび第１〜第（ｉ−１）副グループ（Ｇ１１〜Ｇ１（ｉ−１））および第（ｉ＋１）〜第８副グループ（Ｇ１（ｉ＋１）〜Ｇ１８）の発光セルでも維持放電が起こる。この時、第１〜第（ｉ−１）副グループ（Ｇ１１〜Ｇ１（ｉ−１））の発光セルは第ｋサブフィールド（ＳＦｋ）の各アドレス期間（ＥＡｋ１１〜ＥＡｋ１（ｉ−１））で消去放電が起こらない発光セルであり、第（ｉ＋１）〜第８副グループ（Ｇ１（ｉ＋１）〜Ｇ１８）の発光セルは第（ｋ−１）サブフィールド（ＳＦ（ｋ−１））の各アドレス期間（ＥＡ（ｋ−１）１（ｉ＋１）〜ＥＡ（ｋ−１）１８）で消去放電が起こらない発光セルである。そして第ｉ副グループ（Ｇ１ｉ）の発光セルは第（ｋ＋１）サブフィールド（ＳＦ（ｋ＋１））の第ｉ副グループ（Ｇ１ｉ）のアドレス期間（ＥＡ（ｋ＋１）１ｉ）直前の維持期間（ＳＫ１（ｉ−１））まで維持放電される。つまり、第ｉ副グループ（Ｇ１ｉ）の発光セルでは総８回の維持期間の間維持放電が起こる。
【００３８】
このように、全てのサブフィールド（ＳＦ１〜ＳＦＬ）で各副グループ（Ｇ１１〜Ｇ１８）に対してアドレス期間（ＥＡ１１１〜ＥＡ１１８、…、ＥＡＬ１１〜ＥＡＬ１８）および維持期間（Ｓ１１１〜Ｓ１１８、…、ＳＬ１１〜ＳＬ１８）の動作が行われる。このようにすれば、リセット期間（Ｒ）で発光セルに設定された放電セルは各サブフィールド（ＳＦ１〜ＳＦＬ）で消去放電により非発光セルに設定される前まで継続して維持放電を行い、消去放電で非発光セルになれば当該サブフィールドから維持放電されない。この時、各サブフィールド（ＳＦ１〜ＳＦＬ）の加重値は各サブフィールド（ＳＦ１〜ＳＦＬ）で８個の維持期間の長さの和に対応する。
【００３９】
そして第１行グループ（Ｇ１）の最後のサブフィールド（ＳＦＬ）で維持期間（ＳＬ１８）が行われると、第１副グループ（Ｇ１１）は全８回の維持放電が起こって、第２副グループ（Ｇ１２）は全７回の維持放電が起こり、第３副グループ（Ｇ１３）は全６回の維持放電が行われる。そして第４副グループ（Ｇ１４）は全５回の維持放電が起こって、第５副グループ（Ｇ１５）は全４回の維持放電が起こって、第６副グループ（Ｇ１６)は全３回の維持放電が起こる。また第７副グループ（Ｇ１７）は全２回の維持放電が起こって、第８副グループ（Ｇ１８）は全１回の維持放電が起こる。したがって、第１乃至第８副グループ（Ｇ１１〜Ｇ１８）の維持放電回数が同一になるように第１行グループ（Ｇ１）の最後のサブフィールド（ＳＦＬ）は消去期間（ＥＲ１１〜ＥＲ１７）及び追加維持期間（ＳＡ１２〜ＳＡ１８）を有することができる。
【００４０】
具体的に、消去期間（ＥＲ１１）の直前に全８回の維持放電が起こった第１副グループ（Ｇ１１）は追加維持放電が必要ではない。したがって、消去期間（ＥＲ１１）で第１副グループ（Ｇ１１）の発光セルに形成された壁電荷を消去させる。その後、追加維持期間（ＳＡ１２）で第１乃至第８副グループ（Ｇ１１〜Ｇ１８）の発光セルを発光させる。しかし、この時、消去期間（ＥＲ１１）で第１副グループ（Ｇ１１）の発光セルに形成された壁電荷が消去されたので、追加維持期間（ＳＡ１２）では第２乃至第８副グループ（Ｇ１２〜Ｇ１８）の発光セルで各々１回の追加維持放電が起こる。
【００４１】
そして追加維持期間（ＳＡ１２）によって全８回の維持放電が全て起こった第２副グループ（Ｇ１２）も追加維持放電が必要ないので、消去期間（ＥＲ１２）で第２副グループ（Ｇ１２）の発光セルに形成された壁電荷を消去させる。そして追加維持期間（ＳＡ１３）で第１乃至第８副グループ（Ｇ１１〜Ｇ１８）の発光セルを発光させる。しかし、この時、第１及び第２副グループ（Ｇ１１、Ｇ１２）の発光セルに形成された壁電荷は各々消去期間（ＥＲ１１、ＥＲ１２）で消去されたので、追加維持期間（ＳＡ１３）では第３乃至第８副グループ（Ｇ１３〜Ｇ１８）の発光セルで各々１回の追加維持放電が起こる。
【００４２】
次に、追加維持期間（ＳＡ１３）によって全８回の維持放電が全て起こった第３副グループ（Ｇ１３）もまた、追加維持放電が必要ないので、消去期間（ＥＲ１３）で第３副グループ（Ｇ１３）の発光セルに形成された壁電荷を消去させる。そして追加維持期間（ＳＡ１４）で第１乃至第８副グループ（Ｇ１１〜Ｇ１８）の発光セルを発光させる。しかし、この時、第１乃至第２副グループ（Ｇ１１〜Ｇ１３）の発光セルに形成された壁電荷は各々消去期間（ＥＲ１１〜ＥＲ１３）で消去されたので、追加維持期間（ＳＡ１４）では第４乃至第８副グループ（Ｇ１４〜Ｇ１８）の発光セルで各々１回の追加維持放電が起こる。
【００４３】
このような方式で、消去期間（ＥＲ１４〜ＥＲ１７）及び追加維持期間（ＳＡ１５〜ＳＡ１８）を行えば、第１乃至第８副グループ（Ｇ１１〜Ｇ１８）の維持放電回数を同一にすることができる。
【００４４】
一方、第８副グループ（Ｇ１８）の追加維持期間（ＳＡ１８）以後にも第８副グループ（Ｇ１８）の壁電荷を消去するための消去期間（ＥＲ１８）が形成されることもある。また連結されるフィールドの第１サブフィールド（ＳＦ１）でリセット期間（Ｒ）が行われるので、第８副グループ（Ｇ１８）の消去期間（ＥＲ１８）は形成されないこともある。そしてこのような消去期間（ＥＲ１１〜ＥＲ１８）での消去動作はアドレス期間のように各副グループの各行電極に対して順次に行われることもでき、各行グループの全ての行電極に対して同時に行われることもできる。
【００４５】
次に、第２行グループ（Ｇ２）の各サブフィールド（ＳＦ１〜ＳＦＬ）について説明する。第２行グループ（Ｇ２）の各サブフィールド（ＳＦ１〜ＳＦＬ）の構造は第１行グループ（Ｇ１）の各サブフィールド（ＳＦ１〜ＳＦＬ）と実質的に同一である。但し、前述したように、第２行グループ（Ｇ２）の各サブフィールド（ＳＦ１〜ＳＦＬ）では第８副グループ（Ｇ２８）から第１副グループ（Ｇ２１）順でアドレス期間（ＥＡ１２８〜ＥＡ１２１、…、ＥＡＬ２８〜ＥＡＬ２１）の動作が行われ、第２行グループ（Ｇ２）の最後のサブフィールド（ＳＦＬ）での消去期間（ＥＲ２１〜ＥＲ２８）もまた、第８副グループ（Ｇ２８）から第１副グループ（Ｇ２１）順で行われる。
【００４６】
このようなプラズマ表示装置の駆動方法をサブフィールドだけで表現すれば、図４のように示すことができる。図４は一つのフィールドが１９個のサブフィールド（ＳＦ１〜ＳＦ１９）からなることを示している。図４を参照すれば、各副グループ（Ｇ１１〜Ｇ１８、Ｇ２８〜Ｇ２１）で一つのフィールドを成す複数のサブフィールド（ＳＦ１〜ＳＦ１９）が所定間隔でシフトされることが示されている。この時、所定間隔は一つの副グループ（Ｇ１ｉまたはＧ２ｉ）に対するアドレス期間（ＥＡｋ１ｉまたはＥＡｋ２ｉ）と一つの副グループ（Ｇ１ｉまたはＧ２ｉ）の１個の維持期間（Ｓｋ１ｉまたはＳｋ２ｉ）の長さに相当する。そして一つの副グループ（Ｇ１ｉまたはＧ２ｉ）に対するアドレス期間（ＥＡｋ１ｉまたはＥＡｋ２ｉ）と一つの副グループ（Ｇ１ｉまたはＧ２ｉ）に対する１個の維持期間（Ｓｋ１ｉまたはＳｋ２ｉ）の長さが同一であると仮定すると、第２行グループ（Ｇ２）の各サブフィールド（ＳＦ１〜ＳＦ１９）の開始時点は第１行グループ（Ｇ１）の各サブフィールド（ＳＦ１〜ＳＦ１９）の開始時点からアドレス期間（ＥＡｋ１ｉまたはＥＡｋ２ｉ）の長さだけシフトされたように示される。
【００４７】
このようにすれば、第１行グループ（Ｇ１）の行電極のアドレス期間の間第２行グループ（Ｇ２）の行電極に対して維持期間を遂行することができて、第２行グループ（Ｇ２）の行電極のアドレス期間の間第１行グループ（Ｇ１）の行電極に対して維持期間を行うことができる。つまり、アドレス期間と維持期間が分離せず、アドレス期間の間に維持期間を行うことができるので、一つのサブフィールドの長さを縮めることができる。また各副グループの維持期間の間にアドレス期間が形成されているため、維持期間で形成されたプライミング粒子をアドレス期間で十分に活用することができ、そのため、走査パルスの幅を短くして高速走査ができる。
【００４８】
図５は、図３の駆動方法を用いた階調表現方法を示した図面である。図５では、一つのフィールドが総１９個のサブフィールドからなることが示されている。そして図５で“ＳＥ”は当該サブフィールドで消去放電が起こって、発光セルが非発光セルに設定されたことを示し、“○”は発光セル状態であるサブフィールドを示す。
【００４９】
図５に示すように、サブフィールド（ＳＦ１〜ＳＦ１９）を第１および第２サブフィールドグループに分け、第１サブフィールドグループのサブフィールド（ＳＦ１、ＳＦ２、ＳＦ３、ＳＦ４、ＳＦ５、ＳＦ６）の加重値をそれぞれ１、２、４、８、１６および２４に設定して、第２サブフィールドグループのサブフィールド（ＳＦ７〜ＳＦ１９）の加重値を３２に設定する。
【００５０】
このような加重値を有するサブフィールド（ＳＦ１〜ＳＦ１９）のうちで第１サブフィールド（ＳＦ１）のアドレス期間で消去放電が起こって非発光セルになれば、維持期間で維持放電が起こらず、次のサブフィールド（ＳＦ２〜ＳＦ１９）でも維持放電が起こらないので０階調が表現される。次に、第２サブフィールド（ＳＦ２）のアドレス期間で消去放電が起こって、非発光セルになれば、第２サブフィールド（ＳＦ２〜ＳＦ１９）から維持放電が起こらないので１階調が表現される。発光セルが第２サブフィールド（ＳＦ２）のアドレス期間で消去放電が起こらず第３サブフィールド（ＳＦ３）のアドレス期間で消去放電が起こって、非発光セルになれば、３階調を表現できる。つまり、発光セルが第ｋサブフィールドで消去放電が起こって、非発光セルになれば、発光セル状態の放電セルは第１〜第（ｋ−１）サブフィールドでは維持放電が起こり続けるため、最終的に第１〜第（ｋ−１）サブフィールドの加重値の和に相当する階調を表現できる。
【００５１】
この時、サブフィールドの和で表現できない階調はディザーリングを使って表現できる。
【００５２】
このようなディザーリングは、一定の領域内で表現しようとする階調を、特定の階調を組み合わせた平均的値として表現する技術である。例えば、一定の画素領域で３１階調と５５階調を使って、３１階調と５５階調の間の階調を表現できる。
【００５３】
一般に人の目は、高階調における階調差より低階調における階調差をよく認識するので低階調をサブフィールドの組み合わせで表現せずディザーリングを使って、表現する場合には低階調の表現力が低下する。ところで、図５のように第１サブフィールドグループのサブフィールド（ＳＦ１、ＳＦ２、ＳＦ３、ＳＦ４、ＳＦ５、ＳＦ６）の加重値を異なって設定すれば、第１サブフィールドグループのサブフィールド（ＳＦ１〜ＳＦ６）の組み合わせで１、３、７、１５、３１、５５階調を正確に表現できる。
【００５４】
このように、本発明の第１実施例では複数のサブフィールド（ＳＦ１〜ＳＦ１９）のうち当該サブフィールドで消去放電が起こって発光セル状態の放電セルが非発光セルになる前まで連続するサブフィールドによって、階調が表現されるので動画偽輪郭が発生しない。そしてリセット期間（Ｒ）で発光セル状態になった放電セルは各サブフィールド（ＳＦ１〜ＳＦ１９）で消去放電により非発光セルに設定される前まで継続して維持放電を行うので、どんな階調を表示しても最大１回の放電だけが起こる。したがって、消去放電による消費電力を低減できる。
【００５５】
次に、第１グループのサブフィールド（ＳＦ１〜ＳＦ６）の加重値を実現する方法について図６Ａ乃至図６Ｃを参照して説明する。
【００５６】
図６Ａ乃至図６Ｃにおいて、第１サブフィールドグループのサブフィールド（ＳＦ１〜ＳＦ６）のそれぞれの加重値を実現するためのプラズマ表示装置の駆動波形を示した。図６Ａ乃至図６Ｃにおいては説明の便宜上一つのサブフィールド（ＳＦｉ）で第１行グループ（Ｇ１）の第１および第２副グループ（Ｇ１１、Ｇ１２）と第２行グループ（Ｇ２）の第７および第８副グループ（Ｇ２７、Ｇ２８）だけを示し、Ａ電極に印加される駆動波形およびそれについての説明も省略した。
【００５７】
まず、図６Ａを参照すれば、第１行グループ（Ｇ１）の第ｋサブフィールド（ＳＦｋ）のうち第１副グループ（Ｇ１１）のアドレス期間（ＥＡｋ１１）では第１行グループ（Ｇ１）のＸ電極に基準電圧（図６Ａでは０Ｖ電圧）を印加した状態で第１副グループ（Ｇ１１）の複数のＹ電極に順次にＶｓｃＬ電圧の走査パルスを印加する。この時、走査パルスが印加されたＹ電極によって、形成された発光セルで非発光セルに選択するセルのＡ電極に正の電圧を有するアドレスパルス（図示せず）を印加する。そして走査パルスが印加されないＹ電極にはＶｓｃＬ電圧より高いＶｓｃＨ電圧が印加されてアドレスパルスが印加されないＡ電極には基準電圧が印加される。そうすると、走査パルスのＶｓｃＬ電圧とアドレスパルスの正の電圧が印加された発光セルで消去放電が起こって、Ｘ電極とＹ電極に形成された壁電荷が消去されて、非発光セルに設定される。
【００５８】
維持期間（Ｓｋ１１）では、第１行グループ（Ｇ１）の複数のＸ電極と第１および第２副グループ（Ｇ１１、Ｇ１２）のＹ電極にハイレベル電圧（図６ＡではＶｓ電圧）とローレベル電圧（図６Ａでは０Ｖ電圧）を有する維持放電パルスを反対位相で印加して、第１副グループ（Ｇ１１）の発光セルを維持放電させる。つまり、Ｘ電極にＶｓ電圧が印加される時Ｘ電極には０Ｖ電圧が印加され、Ｙ電極にＶｓ電圧が印加される時Ｘ電極には０Ｖ電圧が印加される。この時、アドレス期間（ＥＡｋ１１）で消去放電が起こらないセルが発光セル状態であるので、アドレス期間（ＥＡｋ１１）で消去放電がおこらないセルで維持放電が起こる。
【００５９】
次に、第２副グループ（Ｇ１２）のアドレス期間（ＥＡｋ１２）では第１行グループ（Ｇ１）のＸ電極に基準電圧を印加した状態で第２副グループ（Ｇ１２）の複数のＹ電極に順次にＶｓｃＬ電圧の走査パルスを印加し、走査パルスが印加されたＹ電極によって、形成された発光セルのうちで非発光セルに選択するセルのＡ電極に正の電圧を有するアドレスパルス（図示せず）を印加する。
【００６０】
そして維持期間（Ｓｋ１２）では第１行グループ（Ｇ１）の複数のＸ電極と第１および第２副グループ（Ｇ１１、Ｇ１２）のＹ電極に維持放電パルスが反対位相で印加されて、発光セルで維持放電が起こる。このような方式により、残りの副グループ（Ｇ１３〜Ｇ１４）に対してもアドレス期間（ＥＡｋ１３〜ＥＡｋ１８）と維持期間（Ｓｋ１３〜Ｓｋ１８）の動作が行われる。
【００６１】
そして第１行グループ（Ｇ１）の第ｋサブフィールド（ＳＦｋ）で、第１副グループ（Ｇ１１）の維持期間（Ｓｋ１１）が遂行される間の、第２行グループ（Ｇ２）では第８副グループ（Ｇ２８）のアドレス期間（ＥＡｋ２８）の動作が行われる。第２行グループ（Ｇ２）の第ｋサブフィールド（ＳＦｋ）で、アドレス期間（ＥＡｋ２８）では第２行グループ（Ｇ２）のＸ電極に基準電圧を印加した状態で第８副グループ（Ｇ２８）の複数のＹ電極に順次にＶｓｃＬ電圧の走査パルスを印加し、走査パルスが印加されたＹ電極によって、形成された発光セルのうちで非発光セルに選択するセルのＡ電極に正の電圧を有するアドレスパルス（図示せず）を印加する。
【００６２】
維持期間（Ｓｋ２８）では第２行グループ（Ｇ２）の複数のＸ電極と第８および第７副グループ（Ｇ２８、Ｇ２７）のＹ電極に維持放電パルスが反対位相で印加されて、発光セルで維持放電が起こる。また、第２行グループ（Ｇ２）の第ｋサブフィールド（ＳＦｋ）で、維持期間（Ｓ２８）が遂行される間の、第１行グループ（Ｇ１）では第２副グループ（Ｇ１２）のアドレス期間（ＥＡｋ１２）の動作が行われる。このような方式により、残りの副グループ（Ｇ２７〜Ｇ２１）に対しても、アドレス期間（ＥＡｋ２７〜ＥＡｋ２１）と維持期間（Ｓｋ２７〜Ｓｋ２１）の動作が行われる。
【００６３】
例えば、図６Ａに示す第ｋサブフィールド（ＳＦｋ）の加重値が３２と仮定すれば、第ｋサブフィールド（ＳＦｋ）で何れか一つの行グループ（Ｇ１またはＧ２）の各副グループ（Ｇ１１〜Ｇ１８またはＧ２１〜Ｇ２８）の各維持期間（Ｓｋ１１〜Ｓｋ１８またはＳｋ２１〜Ｓｋ２８）の長さは加重値４に相当する。そして各維持期間（Ｓｋ１１〜Ｓｋ１８、Ｓｋ２１〜Ｓｋ２８）ではＸ電極とＹ電極にそれぞれ４個の維持放電パルスが印加されると仮定される。
【００６４】
加重値１は何れか一つの行グループ（Ｇ１またはＧ２）の各副グループ（Ｇ１１〜Ｇ１８またはＧ２１〜Ｇ２８）の維持期間のうち何れか一つの維持期間（Ｓｋ１ｊ）の長さの１／４に相当する（ここで、ｊは１と８の間の整数である）。したがって、図６Ｂに示すように、第１行グループ（Ｇ１）の第ｋサブフィールド（ＳＦｋ）で、第１副グループ（Ｇ１１）の維持期間（Ｓｋ１１）では第１副グループ（Ｇ１１）のＹ電極に１個の維持放電パルスを印加した後、Ｘ電極に維持放電パルスのＶｓ電圧が印加される時Ｙ電極に維持放電パルスのローレベル電圧でＶｓｃＨ電圧とＶｓｃＬ電圧の差に相当する電圧（ＶｓｃＨ−ＶｓｃＬ）を印加する。そして第１副グループ（Ｇ１１）の残り維持期間（Ｓｋ１２〜Ｓｋ１８）でもＸ電極に維持放電パルスのＶｓ電圧が印加される時、第１副グループ（Ｇ１１）のＹ電極に維持放電パルスのローレベル電圧で（ＶｓｃＨ−ＶｓｃＬ）電圧を印加する。そして第２副グループ（Ｇ１２）の維持期間（Ｓｋ１２）で第２副グループ（Ｇ１２）のＹ電極に１個の維持放電パルスを印加した後、Ｘ電極に維持放電パルスのＶｓ電圧が印加される時、第２副グループ（Ｇ１２）のＹ電極に維持放電パルスのローレベル電圧で（ＶｓｃＨ−ＶｓｃＬ）電圧を印加する。そして第２副グループ（Ｇ１２）の残り維持期間（Ｓｋ１３〜Ｓｋ１８）および第（ｋ＋１）サブフィールド（ＳＦ（ｋ＋１））の第１副グループ（Ｇ１１）に対する維持期間（Ｓ（ｋ＋１）１１）でも第２副グループ（Ｇ１２）のＹ電極に維持放電パルスのローレベル電圧で（ＶｓｃＨ−ＶｓｃＬ）電圧を印加する。この時、リセット期間（Ｒ）で複数の放電セルを発光セル状態で設定するので、第１副グループ（Ｇ１１）の維持期間（Ｓｋ１１）で第２〜第８副グループ（Ｇ１２〜Ｇ１８）のＹ電極にＶｓ電圧と０Ｖ電圧を有する維持放電パルスを印加すれば維持放電が起こるので、第１副グループ（Ｇ１１）の維持期間（Ｓｋ１１）で第２〜第８副グループ（Ｇ１２〜Ｇ１８）のＹ電極にも維持放電パルスのローレベル電圧で（ＶｓｃＨ−ＶｓｃＬ）電圧を印加する。この時、Ｖｓ電圧と（ＶｓｃＨ−ＶｓｃＬ）電圧の差（Ｖｓ−ＶｓｃＨ＋ＶｓｃＬ）がＸ電極とＹ電極との間で維持放電が起こらない程度の電圧である。そうすれば、Ｙ電極に維持放電パルスのローレベル電圧で（ＶｓｃＨ−ＶｓｃＬ）電圧が印加される時、Ｘ電極とＹ電極との間で維持放電が起こらない。
【００６５】
Ｘ電極にＶｓ電圧が印加される時、Ｘ電極とＹ電極間とので維持放電が起こらなければ、Ｘ電極の壁電位がＹ電極の壁電位より高い状態を維持するので、続いてＹ電極にＶｓ電圧が印加されてＸ電極に０Ｖ電圧が印加されても再び維持放電が起こらない。このようにすれば、加重値１を有するサブフィールドを実現できる。
【００６６】
第２行グループ（Ｇ２）でも第１行グループ（Ｇ１）と実質的に同一である。つまり、第２行グループ（Ｇ２）の第８副グループ（Ｇ２８）の維持期間（Ｓｋ２８）ではＸ電極とＹ電極にそれぞれ１個の維持放電パルスを印加し、以後からはＸ電極に維持放電パルスのＶｓ電圧が印加される時、Ｙ電極に維持放電パルスのローレベル電圧で（ＶｓｃＨ−ＶｓｃＬ）電圧を印加する。この時、第２行グループの第７〜第１副グループ（Ｇ２７〜Ｇ２１）のＹ電極にも維持放電パルスのローレベル電圧で（ＶｓｃＨ−ＶｓｃＬ）電圧を印加する。そして残り維持期間（Ｓｋ２７〜Ｓｋ２１）においてＸ電極に維持放電パルスのＶｓ電圧が印加される時、Ｙ電極に維持放電パルスのローレベル電圧で（ＶｓｃＬ−ＶｓｃＨ）電圧を印加する。このような方式で残り第７副グループ（Ｇ２７）から第１副グループ（Ｇ２１）の発光セルの維持放電を制御する。以下では、加重値を説明する時、第１行グループ（Ｇ１）の第１副グループ（Ｇ１１）についてのみ説明する。
【００６７】
加重値２は、何れか一つの行グループ（Ｇ１またはＧ２）の各副グループ（Ｇ１１〜Ｇ１８またはＧ２１〜Ｇ２８）の維持期間のうち何れか一つの維持期間（Ｓｋ１ｊ）の長さの１／２に相当するので、図６Ｃに示したように、第１行グループ（Ｇ１）の第ｋサブフィールド（ＳＦｋ）で、第１副グループ（Ｇ１１）の維持期間（Ｓｋ１１）では第１副グループ（Ｇ１１）のＹ電極に２個の維持放電パルスを印加した後、Ｘ電極に維持放電パルスのＶｓ電圧が印加される時Ｙ電極に維持放電パルスのローレベル電圧で（ＶｓｃＨ−ＶｓｃＬ）電圧を印加する。そして第１副グループ（Ｇ１１）の残り維持期間（Ｓｋ１２〜Ｓｋ１８）でもＸ電極に維持放電パルスのＶｓ電圧が印加される時Ｙ電極に維持放電パルスのローレベル電圧で（ＶｓｃＨ−ＶｓｃＬ）電圧を印加する。そして第２副グループ（Ｇ１２）の維持期間（Ｓｋ１２）で第２副グループ（Ｇ１２）のＹ電極に２個の維持放電パルスを印加した後、Ｘ電極に維持放電パルスのＶｓ電圧が印加される時、第２副グループ（Ｇ１２）のＹ電極に維持放電パルスのローレベル電圧で（ＶｓｃＨ−ＶｓｃＬ）電圧を印加する。そして第２副グループ（Ｇ１２）の残り維持期間（Ｓｋ１３〜Ｓｋ１８）および第（ｋ＋１）サブフィールド（ＳＦ（ｋ＋１））の第１副グループ（Ｇ１１）に対する維持期間（Ｓ（Ｋ＋１）１１）でも第２副グループ（Ｇ１２）のＹ電極に維持放電パルスのローレベル電圧で（ＶｓｃＨ−ＶｓｃＬ）電圧を印加する。そして第２副グループ（Ｇ１２）のアドレス期間（ＥＡｋ１２）以前の維持期間（Ｓ１１）で第２副グループ（Ｇ１２）のＹ電極に維持放電パルスのローレベル電圧で（ＶｓｃＨ−ＶｓｃＬ）電圧が印加できる。そうすれば、加重値２を有するサブフィールドを実現できる。
【００６８】
そして第１行グループ（Ｇ１）の第ｋサブフィールド（ＳＦｋ）で、第１副グループ（Ｇ１１）の維持期間（Ｓｋ１１）で第１副グループ（Ｇ１１）のＹ電極に４個の維持放電パルスを印加した後、第１副グループ（Ｇ１１）の残り維持期間（Ｓｋ１２〜Ｓｋ１８）でＸ電極に維持放電パルスのＶｓ電圧が印加される時Ｙ電極に維持放電パルスのローレベル電圧で（ＶｓｃＨ−ＶｓｃＬ）電圧を印加すれば、加重値４を有するサブフィールドを実現でき、第１副グループ（Ｇ１１）の維持期間（Ｓｋ１１、Ｓｋ１２）で第１副グループ（Ｇ１１）のＹ電極に４個の維持放電パルスを印加した後第１副グループ（Ｇ１１）の残り維持期間（Ｓｋ１３〜Ｓｋ１８）でＸ電極に維持放電パルスのＶｓ電圧が印加される時Ｙ電極に維持放電パルスのローレベル電圧で（ＶｓｃＨ−ＶｓｃＬ）電圧を印加すれば、加重値８を有するサブフィールドを実現できる。
【００６９】
また、図６Ａに示すサブフィールド（ＳＦｋ）の加重値が３２であれば、第２行グループ（Ｇ２）で第１副グループ（Ｇ２１）のアドレス期間の動作が行われる時、第１行グループ（Ｇ１）の全ての副グループ（Ｇ１１〜Ｇ１８）で維持放電が起こる。そして第２行グループ（Ｇ２）で第１副グループ（Ｇ２１）のアドレス期間の動作が行われる時、第１行グループ（Ｇ１）の副グループ（Ｇ１１〜Ｇ１８）のうち６個の副グループ（Ｇ１１〜Ｇ１６）でのみ維持放電が起こるサブフィールドは加重値２４を実現でき、４個の副グループ（Ｇ１１〜Ｇ１４）でのみ維持放電が起こるサブフィールドは加重値１６を実現できる。また、２個の副グループ（Ｇ１１、Ｇ１２）でのみ維持放電が起こるサブフィールドは加重値８を実現でき、１個の副グループ（Ｇ１１）でのみ維持放電が起こるサブフィールドは加重値４を実現することができる。そして１個の副グループ（Ｇ１１）の維持期間のうち一部でのみ維持放電が起こるサブフィールドは４より小さい加重値を実現できる。
【００７０】
次に、図７を参照して、図６Ａ乃至図６Ｃの駆動波形を生成する駆動回路について詳細に説明する。以下で使用されるスイッチはボディーダイオード（図示せず）を有するｎチャンネル電界効果トランジスター（ＦＥＴ）であるが、同一または類似した機能をする他のスイッチからなることができる。そしてＸ電極とＹ電極によって、形成される容量性成分をパネルキャパシタ（Ｃｐ）として示した。
【００７１】
図７に、図６Ａ乃至図６Ｃの駆動波形を生成するための走査電極駆動部４００の駆動回路を示した。図７では第１グループ（Ｇ１）のＹ電極に駆動波形を印加するための走査電極駆動部４００の駆動回路だけを示した。図７においては各トランジスターを一つのトランジスターとして示したが、各トランジスターは一つのトランジスターまたは並列に連結された複数のトランジスターからなることができる。
【００７２】
図７に示すように、走査電極駆動部４００は維持駆動部４１０、リセット駆動部４２０および走査駆動部４３０を含む。
【００７３】
走査駆動部４３０は選択回路４３１〜４３８、キャパシタ（ＣｓｃＨ）、ダイオード（ＤｓｃＨ）およびトランジスター（ＹｓｃＬ）を含み、第１行グループ（Ｇ１）の各副グループ（Ｇ１１〜Ｇ１８）のアドレス期間（ＥＡ１１１〜ＥＡＬ１８）で非発光セルに設定する放電セルのＹ電極にＶｓｃＬ電圧を印加し、ＶｓｃＬ電圧が印加されない放電セルのＹ電極にＶｓｃＨ電圧を印加する。一般にアドレス期間（ＥＡ１１１〜ＥＡＬ１８）で各副グループ（Ｇ１１〜Ｇ１８）の複数のＹ電極（Ｙ１〜Ｙｎ／２）を順次に選択できるように各副グループ（Ｇ１１〜Ｇ１８）の複数のＹ電極（Ｙ１〜Ｙｎ／２）に選択回路４３１〜４３８がそれぞれ集積回路（ＩＣ）内で連結されており、このような選択回路４３１〜４３８を通じて、走査電極駆動部４００の駆動回路がＹ電極（Ｙ１〜Ｙｎ／２）に共通で連結される。図７では第１行グループ（Ｇ１）の各副グループ（Ｇ１１〜Ｇ１８）の複数のＹ電極のうちのそれぞれ一つのＹ電極に連結する選択回路４３１〜４３８だけを示した。
【００７４】
選択回路４３１〜４３８はトランジスター（Ｓｃｈ、Ｓｃｌ）を含む。トランジスター（Ｓｃｈ）のソースとトランジスター（Ｓｃｌ）のドレーンはそれぞれＹ電極に連結されている。トランジスター（Ｓｃｌ）のソースとトランジスター（Ｓｃｈ）のドレーンの接続点にキャパシタ（ＣｓｃＨ）の第１端子が連結されており、キャパシタ（ＣｓｃＨ）の第２端子にトランジスター（Ｓｃｈ）のドレーンが連結されている。そして電源（ＶｓｃＬ）とＹ電極間にトランジスター（ＹｓｃＬ）が連結されており、ＶｓｃＨ電圧を供給する電源（ＶｓｃＨ）にアノードが連結されたダイオード（ＤｓｃＨ）のカソードがトランジスター（Ｓｃｈ）のドレーンに連結されている。ここで、トランジスター（ＹｓｃＬ）が導通することにより、キャパシタ（ＣｓｃＨ）には（ＶｓｃＨ−ＶｓｃＬ）電圧が充電される。
【００７５】
リセット駆動部４２０は、リセット期間で全ての放電セルを初期化して、発光セル状態で設定できるようにＹ電極に電圧を印加する。
【００７６】
維持駆動部４１０は、トランジスター（Ｙｓ、Ｙｇ）を含み、トランジスターＹｓはＶｓ電圧を供給する電源（Ｖｓ）に連結されたドレーンと選択回路４３１〜４３８を通じてＹ電極に連結されたソースを有する。トランジスターＹｇは０Ｖ電圧を供給する電源（０Ｖ）に連結されたソースとＹ電極に連結されたドレーンを有する。この時、トランジスターＹｓはＹ電極にＶｓ電圧を印加し、トランジスターＹｇはＹ電極に０Ｖ電圧を印加する。
【００７７】
このように構成された走査電極駆動部４００の駆動回路の動作について説明する。第１行グループ（Ｇ１）の各副グループ（Ｇ１１〜Ｇ１８）のアドレス期間（ＥＡ１１１〜ＥＡＬ１８）で、トランジスターＹｓｃＬおよび選択回路４３１〜４３８のトランジスターＳｃｈが導通して、電源ＶｓｃＬ、トランジスターＹｓｃＬ、電圧ＶｓｃＨ−ＶｓｃＬで充電されたキャパシタＣｓｃＨおよびトランジスターＳｃｈの電流経路を通じて、第１行グループ（Ｇ１）の各副グループ（Ｇ１１〜Ｇ１８）のＹ電極にＶｓｃＨ電圧が印加される。
【００７８】
そして第１行グループ（Ｇ１）の各副グループ（Ｇ１１〜Ｇ１８）のうち第ｉ副グループ（Ｇ１ｉ）のアドレス期間（ＥＡｋ１ｉ）で選択回路４３１〜４３８のトランジスターＳｓｃｈが遮断されて選択回路４３１〜４３８のトランジスターＳｃｌが導通して、選択回路４３１〜４３８のトランジスターＳｃｌのボディーダイオード、トランジスターＹｓｃＬおよび電源ＶｓｃＬの電流経路を通じて、第ｉ副グループ（Ｇ１ｉ）のＹ電極に順次にＶｓｃＬ電圧が印加される。
【００７９】
次に、第ｉ副グループ（Ｇ１ｉ）の他のＹ電極が選択される時、再びトランジスターＳｃｈが導通してＹ電極にＶｓｃＨ電圧が印加されて、アドレス期間（ＥＡｋ１ｉ）が終る時トランジスターＹｓｃＬが遮断されてトランジスターＹｇが導通して、接地端（０）、トランジスターＹｇ、トランジスターＳｃｌのボディーダイオードの電流経路を通じてＹ電極に０Ｖ電圧が印加される。
【００８０】
そして第１行グループ（Ｇ１）の各副グループ（Ｇ１１〜Ｇ１８）の維持期間（Ｓ１１１〜ＳＬ１８）ではトランジスターＹｓが導通してトランジスターＹｇが遮断されて、電源Ｖｓ、トランジスターＹｓ、選択回路４３１〜４３８のトランジスターＳｃｌのボディーダイオードの電流経路を通じて、各副グループ（Ｇ１１〜Ｇ１８）のＹ電極にＶｓ電圧が印加される。続いて、トランジスターＹｇが導通してトランジスターＹｓが遮断されて、トランジスターＳｃｌ、トランジスターＹｓ２、接地端（０）での電流経路を通じて、各副グループ（Ｇ１１〜Ｇ１８）のＹ電極に０Ｖ電圧が印加される。そして、このような動作が繰り返されてＹ電極にＶｓ電圧と０Ｖ電圧を交互に有する維持放電パルスを印加することができる。
【００８１】
また、各副グループ（Ｇ１１〜Ｇ１８）の維持期間（Ｓ１１１〜ＳＬ１８）でＸ電極にＶｓ電圧が印加される時、トランジスターＹｇおよび選択回路４３１〜４３８のトランジスターＳｃｈを導通して選択回路４３１〜４３８のトランジスターＳｃｌを遮断すれば、各副グループ（Ｇ１１〜Ｇ１８）のＹ電極に電圧ＶｓｃＨ−ＶｓｃＬを印加することができる。この時、各副グループ（Ｇ１１〜Ｇ１８）のＹ電極を別途に制御できる。例えば、図６Ｂで第１行グループ（Ｇ１）の第ｋサブフィールドの維持期間（Ｓｋ１１）で、第１行グループ（Ｇ１１）のＹ電極にはＶｓ電圧と０Ｖ電圧が交互に印加される。しかしながら、第２行グループ（Ｇ１２）のＹ電極に電圧Ｖｓと電圧ＶｓｃＨ−ＶｓｃＬが交互に印加される。この場合、トランジスターＹｓおよび各副グループ（Ｇ１１〜Ｇ１８）の選択回路４３１〜４３８のトランジスターＳｃｌを導通して各副グループ（Ｇ１１〜Ｇ１８）の選択回路４３１〜４３８のトランジスターＳｃｈを遮断すれば、各副グループ（Ｇ１１〜Ｇ１８）のＹ電極に電圧Ｖｓが印加される。
【００８２】
そしてトランジスターＹｇおよび第１副グループ（Ｇ１１）の選択回路４３１のトランジスターＳｃｈを導通して、トランジスターＹｇおよび第１副グループ（Ｇ１１）の選択回路４３１のトランジスターＳｃｌを遮断すれば、第１副グループ（Ｇ１１）のＹ電極に電圧ＶｓｃＨ−ＶｓｃＬが印加されて、副グループ（Ｇ１２〜Ｇ１８）のＹ電極には電圧０Ｖが印加される。
【００８３】
一方、図６Ｂおよび図６Ｃにおいて、Ｘ電極とＹ電極に維持放電が起こらないように維持放電パルスのローレベル電圧で電圧ＶｓｃＨ−ＶｓｃＬを印加することを示したが、Ｙ電極をフローティングさせてもよい。この場合には、選択回路４３１〜４３８のトランジスターＳｃｈ、Ｓｃｌを遮断して選択回路４３１〜４３８をハイインピーダンス状態で設定すればよい。このようにＹ電極をフローティングさせれば、Ｙ電極の電圧がＸ電極の電圧によって変更できるので、Ｘ電極とＹ電極の間の電圧差が小さくなり、発光セルで維持放電が起こらない。もしくは、Ｘ電極とＹ電極のうちの何れか一つの電極に継続してハイレベル電圧Ｖｓを印加するか、或いはローレベル電圧０Ｖを印加してもよい。例えば、Ｘ電極に電圧Ｖｓと電圧０Ｖが交互に印加される間に、Ｙ電極にＶｓ電圧を印加すれば、Ｘ電極とＹ電極の電圧差（Ｖｓ−Ｖｓ）が０ＶなのでＸ電極とＹ電極との間で維持放電は起こらない。Ｘ電極にＶｓ電圧が印加される時、Ｘ電極とＹ電極との間で維持放電が起こらなければ、Ｘ電極の壁電位がＹ電極の壁電位より高い状態を維持するので、続いてＹ電極にＶｓ電圧が印加されてＸ電極に０Ｖ電圧が印加されても再び維持放電が起こらない。
【００８４】
本発明の第１実施例の駆動方法では第１サブフィールド（ＳＦ１）のアドレス期間直前のリセット期間（Ｒ）で全ての放電セルを初期化して、発光セル状態で設定するために、リセット放電を強い放電で行わなければならない。この場合、ブラック画面が明るくなり、明暗比が低下するという問題点がある。また、リセット期間（Ｒ）であるため、全ての放電セルを発光セルに設定できる程の壁電荷を形成しにくい。以下では、明暗比を向上させることができるとともに、消去放電を安定的に実施できる方法について図８および図９を参照して詳細に説明する。
【００８５】
図８および図９に、それぞれ本発明の第２および第３実施例によるプラズマ表示装置の駆動方法を概略的に示した。
【００８６】
図８に示すように、本発明の第２実施例による駆動方法は第１実施例と類似している。
【００８７】
但し、第１実施例とは違って、第１サブフィールド（ＳＦ１’）のアドレス期間（ＷＡ１１、ＷＡ１２）では選択的書き込み方式を使う。そして第１サブフィールド（ＳＦ１'）では各グループ（Ｇ１、Ｇ２）で複数の行電極を副グループ化せず一つのアドレス期間（ＷＡ１１、ＷＡ１２）間の複数の行電極によって、形成される放電セルのうちで発光セルを選択する。このように、選択的書き込み方式のアドレス期間（ＷＡ１１、ＷＡ１２）を有するサブフィールド（ＳＦ１’）ではアドレス期間（ＷＡ１１、ＷＡ１２）の直前に発光セルを非発光セルに初期化するリセット期間（Ｒ’）が形成される。つまり、本発明の第１実施例で選択的消去方式のアドレス期間（ＥＡ１１１〜ＥＡＬ１８、ＥＡ１２１〜ＥＡＬ２８）直前のリセット期間（Ｒ）では放電セルを発光セル状態で初期化するが、選択的書き込み方式のアドレス期間（ＷＡ１１、ＷＡ１２）直前のリセット期間（Ｒ’）では発光セルを非発光セルに初期化する。
【００８８】
具体的には、第１サブフィールド（ＳＦ１’）のリセット期間（Ｒ’）では第１および第２行グループ（Ｇ１、Ｇ２）の放電セルを初期化して、非発光セル状態に設定してアドレス期間（ＷＡ１１、ＷＡ１２）で書き込み放電が可能な状態に設定する。アドレス期間（ＷＡ１１）で第１行グループ（Ｇ１）の放電セルのうち発光セルに設定する放電セルを書き込み放電させて壁電荷を形成し、維持期間（Ｓ１１）で第１行グループ（Ｇ１）の発光セルを維持放電させる。続いて、第１グループ（Ｇ１）の発光セルに形成されている壁電荷を消去する。そうすれば、第１行グループ（Ｇ１）の発光セルは第１行グループ（Ｇ１１）の維持期間（Ｓ２１１）でのみ発光する。
【００８９】
次に、アドレス期間（ＷＡ１２）で第２行グループ（Ｇ２）の放電セルのうち発光セルに設定する放電セルを書き込み放電させて壁電荷を形成し、維持期間（Ｓ１２）で第２行グループ（Ｇ１２）の発光セルを維持放電させた後、第２行グループ（Ｇ２）の発光セルに形成されている壁電荷を消去する。
【００９０】
このように、本発明の第２実施例ではアドレス期間（ＷＡ１１、ＷＡ１２）でそれぞれ第１および第２行グループ（Ｇ１、Ｇ２）の複数の行電極に対して順次に書き込み放電が行われて、発光セルが選択された後に、維持期間（Ｓ１１、Ｓ１２）が遂行されて維持放電が起こる。このようにすれば、選択的消去方式のアドレス期間を有するサブフィールド（ＳＦ２〜ＳＦＬ）が遂行される前に、発光セルの各電極に壁電荷を十分に形成することができる。
【００９１】
一方、第１サブフィールド（ＳＦ１’）で各グループ（Ｇ１、Ｇ２）の維持期間（Ｓ１１、Ｓ１２）以後に各グループ（Ｇ１、Ｇ２）の発光セルに形成されている壁電荷を消去するために、各グループ（Ｇ１、Ｇ２）の維持期間（Ｓ１１、Ｓ１２）で維持放電パルスの最後のパルス幅を壁電荷が形成されないように他の維持放電パルスの幅より狭くして、実現できる。または最後の維持放電パルス直後に漸進的に行電極の電圧を変更できる波形（例えば、ランプ形態で変更される波形）を使って、維持放電によって形成された壁電荷を消去してもよい。
【００９２】
また選択的書き込み方式のアドレス期間（ＷＡ１１〜ＷＡ１２）直前のリセット期間（Ｒ’）では放電セルを非発光セルに初期化するために、漸進的に増加する電圧と漸進的に減少する電圧を用いて、リセット期間を実現することができる。つまり、リセット期間（Ｒ’）では複数のＹ電極の電圧を漸進的に増加させた後、複数のＹ電極の電圧を漸進的に減少させて実現できる。つまり、Ｙ電極の電圧が増加する間にＹ電極とＸ電極との間で微弱なリセット放電が起こりつつ放電セルに壁電荷が形成された後、Ｙ電極の電圧が減少する間にＹ電極とＸ電極との間で微弱なリセット放電が起こりつつ放電セルに形成された壁電荷が消去され、非発光セルに初期化されることができる。これによってリセット期間（Ｒ１）では強い放電が起こらないので明暗比を高めることができる。
【００９３】
ここで、図８に示す第２実施例のように、各グループ（Ｇ１、Ｇ２）の維持期間（Ｓ１１、Ｓ１２）以後に各グループ（Ｇ１、Ｇ２）の放電セルに形成されている壁電荷を消去するための消去動作は行わなくてもよい。
【００９４】
具体的には、図９に示すように、第１サブフィールド（ＳＦ"）のアドレス期間（ＷＡ１１）で第１行グループ（Ｇ１）の放電セルのうち発光セルに設定する放電セルを書き込み放電させて壁電荷を形成し、維持期間（Ｓ１１）で第１行グループ（Ｇ１）の発光セルを維持放電させる。この時、維持期間（Ｓ１１）においては、例えば、１回または２回といった最小限の維持放電のみ起こるように設定する。
【００９５】
次に、第１サブフィールド（ＳＦ１"）のアドレス期間（ＷＡ１２）で第２行グループ（Ｇ２）の放電セルのうち発光セルに設定する放電セルを書き込み放電させて壁電荷を形成し、維持期間（Ｓ１２）のうちの一部期間（Ｓ１２１）で第１および第２行グループ（Ｇ１、Ｇ２）の発光セルを維持放電させる。そして維持期間（Ｓ１２）のうちの残り一部期間（Ｓ１２２）において第１行グループ（Ｇ１）の発光セルを維持放電が起こらないように設定した状態で第２行グループ（Ｇ２）の発光セルだけ維持放電させて第１行グループ（Ｇ１）の発光セルでは維持放電させない。この時、維持期間（Ｓ１２）のうちの残り一部期間（Ｓ１２２）で第２行グループ（Ｇ２）の発光セルで維持放電が起こる回数は維持期間（Ｓ１２）で第１行グループ（Ｇ１）の発光セルで維持放電が起こる回数と同一に設定される。
【００９６】
また、二つの維持期間（Ｓ１１、Ｓ１２）により第１サブフィールド（ＳＦ１"）の加重値が満足しない場合には維持期間（Ｓ１２）のうちの残り一部期間（Ｓ１２２）で第１および第２行グループ（Ｇ１、Ｇ２）の発光セルを追加的に維持放電させることができる。
【００９７】
一方、本発明の第１〜第３実施例では一つのフィールドの最後のサブフィールド（ＳＦＬ）で第１および第２行グループ（Ｇ１、Ｇ２）の消去期間（ＥＲ１１２〜ＥＲ１１８、ＥＲ１２２〜ＥＲ１２８）および追加維持期間（ＳＡ１２〜ＳＡ１８、ＳＡ２２〜ＳＡ２８）が形成されているが、これを削除してもよい。消去期間（ＥＲ１１２〜ＥＲ１１８、ＥＲ１２２〜ＥＲ１２８）および追加維持期間（ＳＡ１２〜ＳＡ１８、ＳＡ２２〜ＳＡ２８）が削除される場合、複数のフィールドにかけて各グループ（Ｇ１、Ｇ２）でそれぞれの副グループ（Ｇ１１〜Ｇ１８、Ｇ２１〜Ｇ２８）のアドレシング順序を変更すればよい。そうすれば、各行グループの維持放電回数を同一にすることができる。
【００９８】
また、本発明の第１〜第３実施例とは異なり、各行グループの維持放電回数を同一にするために第１および第２行グループ（Ｇ１、Ｇ２）の消去期間（ＥＲ１１２〜ＥＲ１１８、ＥＲ１２２〜ＥＲ１２８）が遂行される時点から維持放電が起こらないように設定してもよい。つまり、図６Ｂおよび図６Ｃに示すように、第１および第２行グループ（Ｇ１、Ｇ２）の消去期間（ＥＲ１１２〜ＥＲ１１８、ＥＲ１２２〜ＥＲ１２８）が遂行される時点からＸ電極に維持放電パルスのＶｓ電圧が印加する時Ｙ電極に電圧ＶｓｃＨ−ＶｓｃＬを印加し、Ｘ電極に電圧０Ｖが印加する時Ｙ電極に電圧Ｖｓを印加する。そうすれば、第１および第２行グループ（Ｇ１、Ｇ２）の消去期間（ＥＲ１１２〜ＥＲ１１８、ＥＲ１２２〜ＥＲ１２８）が遂行される時点から維持放電が起こらない。
【００９９】
一方、第３実施例においては、選択的消去方式で走査パルスの幅が０．７μｓであり、一つの維持期間で８個の維持放電パルスが入り、一つの維持放電パルス（ハイレベル電圧とローレベル電圧を有するパルス）が入る時間が５．６μｓであり、この条件で１０２４本の行電極を駆動すると仮定すれば、維持期間の長さは４４．８μｓ（＝５．６μｓ×８）であり、アドレス期間の長さは４４．８μｓ（＝０．７μｓ×６４行）である。
【０１００】
したがって、一つのサブフィールドの長さは７１６．８μｓ（＝４４．８μｓ×１６）になる。そして選択的書き込み方式で走査パルスの幅が１．３μｓであり、リセット期間の長さが３５０μｓの場合、アドレス期間の長さは６６５．６μｓ（＝１．３μｓ×５１２行）である。この時、加重値が１の場合、維持期間（Ｓ１１）で１個の維持放電パルスが印加され、維持期間（Ｓ１２）で１．５個の維持放電パルスが印加されることで仮定すれば、総維持期間（Ｓ１１＋Ｓ１２）の長さは１４μｓ（＝５．６μｓ×２．５）になる。したがって、サブフィールド（ＳＦ１）の長さは１６９５．２μｓ（＝３５０μｓ＋６６５．６μｓ×２＋１４μｓ）になる。
【０１０１】
つまり、第３実施例の場合、一つのフィールドで選択的消去方式のサブフィールドに割り当てられる時間は１４９７０．８μｓ（＝１６６６６−１６９５．２）であるので、一つのフィールドで選択的消去方式のサブフィールドは２０（＝１４９７０．８／７１６．８）個のサブフィールドを使うことができる。
【０１０２】
そして図６Ａ乃至図６Ｃでは、電圧Ｖｓと電圧０Ｖからなる維持放電パルスをＹ電極とＸ電極に反対位相で印加する場合について説明したが、他の形態の維持放電パルスが印加される場合にも本発明が適用できる。つまり、Ｘ電極が０Ｖ電圧でバイアスされた状態でＹ電極にＶｓ電圧と−Ｖｓ電圧を交互に有する維持放電パルスが印加される場合にも、本発明が適用できる。
【０１０３】
以上、本発明の最も好ましい実施形態について説明したが、本発明の権利範囲はこれに限定されるものではなく、特許請求の範囲と発明の詳細な説明及び添付した図面の範囲内で多様に変形して実施することが可能であり、これもまた本発明の範囲に属することは当然である。
【図面の簡単な説明】
【０１０４】
【図１】本発明の実施形態によるプラズマ表示装置を示す図面である。
【図２】本発明の実施形態によるプラズマ表示装置の駆動方法に適用される各電極の分割構造を示した図面である。
【図３】本発明の第１実施例によるプラズマ表示装置の駆動方法を示した図面である。
【図４】図３の駆動方法をサブフィールドだけで示した図面である。
【図５】図３の駆動方法を用いた階調表現方法を示した図面である。
【図６Ａ】第１サブフィールドグループのサブフィールドの加重値を実現するためのプラズマ表示装置の駆動波形を示した図面である。
【図６Ｂ】第１サブフィールドグループのサブフィールドの加重値を実現するためのプラズマ表示装置の駆動波形を示した図面である。
【図６Ｃ】第１サブフィールドグループのサブフィールドの加重値を実現するためのプラズマ表示装置の駆動波形を示した図面である。
【図７】６Ａ〜図６Ｃの駆動波形を生成するための走査電極駆動部の駆動回路を示した図面である。
【図８】本発明の第２および第３実施例によるプラズマ表示装置の駆動方法を概略的に示した図面である。
【図９】本発明の第２および第３実施例によるプラズマ表示装置の駆動方法を概略的に示した図面である。
【符号の説明】
【０１０５】
１２    放電セル、
１００    プラズマ表示パネル、
２００    制御部、
３００    アドレス電極駆動部、
４００    走査電極駆動部、
４２０    リセット駆動部、
５００    維持電極駆動部。
【図１】
2007133397.tif 000003
【図２】
2007133397.tif 000004
【図３】
2007133397.tif 000005
【図４】
2007133397.tif 000006
【図５】
2007133397.tif 000007
【図６Ａ】
2007133397.tif 000008
【図６Ｂ】
2007133397.tif 000009
【図６Ｃ】
2007133397.tif 000010
【図７】
2007133397.tif 000011
【図８】
2007133397.tif 000012
【図９】
2007133397.tif 000013